(57)【要約】【課題】保守サービスの際にもキーボードを取り外す必要なくキーボードのチェックを行うことができ、さらなる軽量化を実現できる電子機器を提供する。【解決手段】複数のキーが配列されて構成されたキーボード部２１と、制御手段４０とを備え、キーボード部２１を制御手段４０に接続させるキーボード用ケーブル２６が、キーボード部２１における複数のキーの配列面に対する側面の側に引き出されるよう設けられ、キーボード用ケーブル２６が引き出されるキーボード部２１の側面の側に、キーボード部２１とは別体として設けられた外装部材２２が設けられたことを特徴とする。【選択図】図６
2014085972.tif 000002
【特許請求の範囲】
【請求項１】
複数のキーが配列されて構成されたキーボード部と、
制御手段とを備え、
前記キーボード部を前記制御手段に接続させるキーボード用ケーブルが、前記キーボード部における前記複数のキーの配列面に対する側面の側に引き出されるよう設けられ、
前記キーボード用ケーブルが引き出される前記キーボード部の側面の側に、前記キーボード部とは別体として設けられた外装部材が設けられたことを特徴とする電子機器。
【請求項２】
前記外装部材は、前記キーボード用ケーブルが引き出される前記キーボード部の側面の側における前記キーボード部に隣接する位置に設けられたことを特徴とする請求項１記載の電子機器。
【請求項３】
前記キーボード用ケーブルは、前記複数のキーの配列位置よりも前記配列面における外周側から、前記複数のキーの配列方向に引き出されるよう前記キーボード部に設けられたことを特徴とする請求項１または２記載の電子機器。
【請求項４】
前記キーボード用ケーブルは、前記キーボード部における前記配列面に対する手前側の側面の側に引き出されるよう設けられ、
前記キーボード部よりも該手前側の側面の側に、前記外装部材が設けられたことを特徴とする請求項１から３の何れか１項に記載の電子機器。
【請求項５】
前記キーボード部には、前記制御手段とは別体に設けられたサブ基板が一体として構成され、
前記サブ基板を前記制御手段に接続させるサブ基板用ケーブルと、前記キーボード用ケーブルと、が前記キーボード部における前記配列面に対する側面の側に引き出されるよう設けられたことを特徴とする請求項１から４の何れか１項に記載の電子機器。
【請求項６】
記憶手段が着脱可能に設けられ、
前記記憶手段は、前記電子機器における前記キーボード部が配置される面の裏面側から前記電子機器に取り付けられるよう設けられたことを特徴とする請求項１から５の何れか１項に記載の電子機器。
【発明の詳細な説明】
【技術分野】
【０００１】
本発明は、例えばノート型コンピュータなど、キーボードを備えた電子機器に関する。
【背景技術】
【０００２】
例えば特許文献１など、ノート型コンピュータなどの電子機器では、キーボードにおけるキーの配列面の背面から直下にキーボード用ケーブルを引き出し、ＣＰＵなどの主要部品が実装されたマザーボードに接続させる構成が一般的である。
【０００３】
図９に、こうしたノート型コンピュータからキーボードを取り外した状態を示す。図９の構成例では、キーボードが取り付けられる筐体窪み部８１に梁部材８２が設けられる。このため、この梁部材８２の隙間からキーボード用ケーブルをマザーボード８３に接続してから、キーボードを筐体窪み部８１に取り付けることとなる。
こうした構成により、平板状であるキーボードの直下に配置された平板状のマザーボード８３に省スペースかつ短い距離で接続するようにしている。
【先行技術文献】
【特許文献】
【０００４】
【特許文献１】特開２００８−２９９５３３号公報
【発明の概要】
【発明が解決しようとする課題】
【０００５】
しかしながら、ノート型コンピュータなどの電子機器ではさらなる軽量化が求められ、開発競争の中、キーボードもより一層軽量化されたものが求められる。
【０００６】
ここで、修理など保守サービスで、問題箇所を特定するための原因の切り分けを行う際には、機器に取り付けられているキーボードのキーボード用ケーブルをマザーボードから取り外し、代わりにチェック用のキーボードにおけるキーボード用ケーブルをマザーボードに接続してチェックを行う。
【０００７】
こうした作業を行うために、上述した図９の構成例では、まずキーボードを機器本体から取り外し、取り外された図９に示す状態でキーボード用ケーブルをマザーボード８３から取り外し、その後にチェック用のキーボードにおけるキーボード用ケーブルをそのマザーボード８３に接続してチェックを行う必要があった。
【０００８】
ここで、上述のように軽量化されたキーボードは、キーボードの打鍵など通常の使用には何ら問題ない強度を備えているものの、修理など保守サービスの際に機器本体への取付構造から取り外そうとして大きな負荷をかけてしまうと、場合によって変形したり、故障の原因となるおそれがあった。
【０００９】
このため、電子機器の保守性の向上、保守サービスにおける部品破損防止のためには、修理など保守サービスの際にも、キーボードを機器本体から取り外す必要をなるべく減らし得る構成が求められていた。
【００１０】
本発明はこのような状況に鑑みてなされたものであり、保守サービスの際にもキーボードを取り外す必要なくキーボードのチェックを行うことができ、保守性をさらに向上させることができる電子機器を提供することを目的とする。
【課題を解決するための手段】
【００１１】
かかる目的を達成するために、本発明に係る電子機器は、複数のキーが配列されて構成されたキーボード部と、制御手段とを備え、キーボード部を制御手段に接続させるキーボード用ケーブルが、キーボード部における複数のキーの配列面に対する側面の側に引き出されるよう設けられ、キーボード用ケーブルが引き出されるキーボード部の側面の側に、キーボード部とは別体として設けられた外装部材が設けられたことを特徴とする。
【発明の効果】
【００１２】
以上のように、本発明によれば、保守サービスの際にもキーボードを取り外す必要なくキーボードのチェックを行うことができる。このため、保守サービスの際の部品破損を防止でき、保守性をさらに向上させることができる。
【図面の簡単な説明】
【００１３】
【図１】本発明の実施形態としてのノート型コンピュータ１００の外観を示す図である。
【図２】図１からパームレストカバー２２を取り外した状態を示す図である。
【図３】図２からトップカバー２１を取り外した状態を示す図である。
【図４】トップカバー２１をキーの配列面側から見た図である。
【図５】トップカバー２１をキーの配列面の裏側から見た図である。
【図６】トップカバー２１におけるキーボード用ケーブル２６での縦断面をヒンジ部３０の軸方向から見て説明する図である。
【図７】ノート型コンピュータ１００の底面におけるＨＤＤ収容部６０の蓋を開けた状態を示す図である。
【図８】キーボード２３の他の構成例を、キーボード用ケーブル２６での縦断面により説明する図である。
【図９】従来のノート型コンピュータからキーボードを取り外した状態を示す図である。
【発明を実施するための形態】
【００１４】
次に、本発明に係る電子機器をノート型コンピュータに適用した一実施形態について、図面を用いて詳細に説明する。
【００１５】
本実施形態のノート型コンピュータ１００は、図１に示すように、表示部１１が設けられる上側筐体１０と、下側筐体２０とが、ヒンジ部３０により開閉可能に連結されて構成される。
【００１６】
下側筐体２０には、ヒンジ部３０の閉状態で上側筐体１０と対向する面にトップカバー（キーボード部）２１と、パームレストカバー（外装部材）２２とが設けられる。
トップカバー２１には、キーボード２３と、電源スイッチ２４とが一体として設けられる。パームレストカバー２２は、キーボード２３よりも操作時のユーザから見て手前側に配置され、ユーザがキーボード２３でキー入力する際にパームレストとして機能する。また、パームレストカバー２２にはトラックパッド３３が設けられ、その手前側にマウスボタン３２が配置される。
【００１７】
上側筐体１０と下側筐体２０を連結するヒンジ部３０は、軸方向における上側筐体１０と下側筐体２０の両端に設けられる。そして、両端のヒンジ部３０の間、すなわち操作時のユーザから見てキーボード２３よりも奥側に、バッテリ３１が着脱可能に設けられる。
なお、図１に示す構成は一例であり、例えばトラックパッド３３とマウスボタン３２に替えて、クリックパッド４１を備える構成であってもよい。
【００１８】
次に、図２〜図５を参照して、ノート型コンピュータ１００の内部構造について説明する。図２は、図１からパームレストカバー２２を取り外した状態を示し、図３は、図２からさらにトップカバー２１を取り外した状態を示す。図４はトップカバー２１をキーの配列面側から見た図であり、図５はその裏面から見た図である。
【００１９】
図２、図３に示すように、下側筐体２０におけるトップカバー２１およびパームレストカバー２２よりも底面側には、不図示のＣＰＵなどの主要部品が実装されたマザーボード４０が配置される。このマザーボード４０に実装されたＣＰＵなどの電子部品が、後述するＨＤＤ６３などに格納された所定のプログラムに基づいて処理を行うことにより、ノート型コンピュータ１００全体の制御を行う制御手段として機能する。
なお、図２、図３では、マザーボード４０に実装された一部の部品を省略して示す。
【００２０】
トップカバー２１は、上述のようにキーボード２３と、電源スイッチ２４と一体として構成されると共に、キーボード２３におけるキー配列面の裏面側には、図５に示すように、サブ基板５１，５２，５３が取り付けられて構成される。
また、トップカバー２１には複数のネジ穴７１が設けられ、不図示のネジで下側筐体２０に固定される。
【００２１】
サブ基板５１には、キー配列面の側から電源スイッチ２４が設けられる。
サブ基板５３は、操作時のユーザから見てキーボード２３よりも手前側、すなわちパームレストカバー２２により被装される位置に設けられる。また、このキーボード２３よりも手前側の位置には、ＰＣカードを挿抜可能に取り付けるためのカードスロット５４が設けられる。
【００２２】
また、トップカバー２１には、図２、図４、図６に示すように、キーボード２３をマザーボード４０に接続させるためのキーボード用ケーブル２６が、キーの配列方向における手前側に引き出されるよう設けられる。このキーボード用ケーブル２６の先端には、マザーボード４０に実装されたボード側コネクタ４２に接続するためのケーブル側コネクタ２６ａが設けられる。
【００２３】
また、トップカバー２１には、図２、図４、図５に示すように、サブ基板５２等をマザーボード４０に接続させるためのサブ基板用ケーブル２５が、キーの配列方向における手前側に引き出されるよう設けられる。このサブ基板用ケーブル２５は、一方がサブ基板５２のコネクタ５６等に接続され、他方の先端には、マザーボード４０に実装されたボード側コネクタ４１に接続するためのケーブル側コネクタ２５ａが設けられる。
【００２４】
また、トップカバー２１には、図２、図４、図５に示すように、サブ基板５３やカードスロット５４をマザーボード４０に接続させるためのサブ基板用ケーブル２７が、キーボード２３よりも手前側のカードスロット５４の位置からキーの配列方向における横方向に引き出されるよう設けられる。このサブ基板用ケーブル２７は、こうして横方向に引き出されることでパームレストカバー２２により被装される位置に敷設され、トップカバー２１における側面の側に引き出される。また、サブ基板用ケーブル２７の先端には、マザーボード４０に実装されたボード側コネクタ４３に接続するためのケーブル側コネクタ２７ａが設けられる。
【００２５】
図６に、トップカバー２１におけるキーの配列面と、キーボード用ケーブル２６の引き出し方向との関係を模式的に示す。図６に示すように、キーボード用ケーブル２６は、トップカバー２１におけるキーの配列位置よりも配列面における外周側から、キーボード２３よりも手前側におけるキーの配列方向に引き出される。このため、キーボード用ケーブル２６は、キーボード２３におけるキーの配列面に対する手前側の側面の側に引き出される。そして、キーボード２３におけるキーの配列面に対する手前側の側面の側に隣接する位置が、パームレストカバー２２により被装される。
【００２６】
また、マザーボード４０には、上述のようにボード側コネクタ４１，４２，４３が実装される。このボード側コネクタ４１，４２，４３は何れも、図２に示すようなパームレストカバー２２が取り外された状態で外部に露出される位置に配置される。
【００２７】
このため、図１に示す本実施形態のノート型コンピュータ１００からパームレストカバー２２を取り外すだけで、図２に示すように、マザーボード４０におけるボード側コネクタ４２からケーブル側コネクタ２６ａを取り外すことができる。このため、修理などの保守サービスの際、キーボード２３を含むトップカバー２１を取り外す必要なく、キーボード用ケーブル２６の代わりにチェック用のキーボード（不図示）のケーブルをマザーボード４０のボード側コネクタ４２に差し込み、キーボード２３のチェックを行うことができる。
【００２８】
また、サブ基板用ケーブル２５、２７についても、上述のようにトップカバー２１におけるキーの配列面に対する側面の側に引き出され、引き出された側面の位置がパームレストカバー２２により被装されている。このため、同様に、キーボード２３を含むトップカバー２１を取り外す必要なく、チェック用基板（不図示）からのケーブルをマザーボード４０のボード側コネクタ４１、４３に差し込み、チェックを行うことができる。
【００２９】
図７に、本実施形態のノート型コンピュータ１００における下側筐体２０を底面から見た状態を示す。図７では、ＨＤＤ６３を収容するＨＤＤ収容部６０におけるカバーが取り外された状態を示す。
【００３０】
上述のように、本実施形態のノート型コンピュータ１００では、マザーボード４０におけるトップカバー２１が配置される側の面にボード側コネクタ４１，４２，４３が実装され、トップカバー２１から引き出されたキーボード用ケーブル２６、サブ基板用ケーブル２５，２７が接続される。
【００３１】
このため、本実施形態のノート型コンピュータ１００では、ＨＤＤ６３を収容するＨＤＤ収容部６０が、トップカバー２１が配置された面に対する裏面側、すなわち底面に配置される。こうして、マザーボード４０よりも底面側にＨＤＤ収容部６０が配置されることにより、キーボード用ケーブル２６、サブ基板用ケーブル２５，２７の敷設位置に対して、マザーボード４０の裏面側にＨＤＤ収容部６０を配置することができる。
【００３２】
ＨＤＤ収容部６０におけるトップカバー２１側の面には、収容するＨＤＤ６３の取り付け位置をガイドするガイド部材６２が設けられる。また、マザーボード４０に接続されたＨＤＤ用ケーブル６１が、その先端に設けられたケーブル側コネクタ６１ａをガイド部材６２の隙間からＨＤＤ収容部６０内に引き出すように配置される。
【００３３】
このため、ＨＤＤ６３をＨＤＤ収容部６０に取り付ける際、ＨＤＤ用ケーブル６１の先端に設けられたケーブル側コネクタ６１ａにＨＤＤ６３のＨＤＤ側コネクタ６３ａを接続することで、ＨＤＤ６３がマザーボード４０に対して底面側から接続されることとなる。
【００３４】
以上のように、上述した本発明の実施形態によれば、修理などの保守サービスで問題箇所を特定するための原因の切り分けを行う際にも、キーボード２３の手前側に隣接して設けられたパームレストカバー２２を取り外すだけで、キーボード用ケーブル２６の代わりにチェック用のキーボード（不図示）のケーブルをマザーボード４０のボード側コネクタ４２に差し込むことができる。このため、キーボード２３を含むトップカバー２１を取り外す必要なく、キーボード２３のチェックを行うことができる。
【００３５】
このため、修理などの保守サービスの際にも、軽量化されたキーボード２３を含むトップカバー２１の取り外しに伴う部品破損のリスクを大きく減らすことができる。
このため、キーボード２３が極めて軽量化された構成であっても、ノート型コンピュータ１００の信頼性をより高めることができる。このように、ノート型コンピュータ１００の保守サービスの際の部品破損を防止できることにより、保守性をさらに向上させることができる。
【００３６】
また、サブ基板５１，５２，５３や、カードスロット５４がキーボード２３と一体とされた構成であっても、これらのサブ基板５１，５２，５３や、カードスロット５４をマザーボード４０に接続させるためのケーブルが、パームレストカバー２２を取り外すだけで、チェック用の基板を接続させるためのケーブルに差し替えることができるように設けられる。このため、キーボード２３を含むトップカバー２１を取り外す必要なく、サブ基板５１，５２，５３や、カードスロット５４のチェックも可能となっている。
このため、サブ基板５１，５２，５３や、カードスロット５４がキーボード２３と一体とされた構成であっても、上述した効果を同様に得ることができる。
【００３７】
なお、上述した各実施形態は本発明の好適な実施形態であり、本発明はこれに限定されることなく、本発明の技術的思想に基づいて種々変形して実施することが可能である。
【００３８】
例えば、本明細書におけるケーブルとは、任意の地点間を電気的に接続するものであれば、例えばフレキシブルケーブルやフラットケーブルなど、任意の種類のケーブルを用いてよい。また、フレキシブルケーブルとしても、例えばフィルム状のものや、フレキシブルプリント基板における配線部のみで構成された部分など、任意の種類のものであってよい。
【００３９】
また、上述した実施形態では、キーボード２３がトップカバー２１に一体化された構成について説明したが、図８に示すように、キーボード２３がトップカバー２１とは別体に構成され、トップカバー２１に対して取り付けられる構成であってもよい。
この場合、上述した実施形態と同様に、キーボード用ケーブル２６が、キーボード２３におけるキーの配列位置よりも配列面における外周側から、キーボード２３よりも手前側におけるキーの配列方向に引き出されるようにキーボード２３に設けられる。このため、キーボード用ケーブル２６は、キーボード２３におけるキーの配列面に対する手前側の側面の側に引き出され、その手前側の側面の側に隣接する位置が、パームレストカバー２２により被装される。
こうした構成によっても、本発明を同様に実現することができ、同様の効果を得ることができる。
【００４０】
また、ノート型コンピュータ１００へのキーボード２３の取付方法は、上述したネジ止めに限定されず、例えば図８に示すように、キーボード２３がトップカバー２１における筐体窪み部に取り付けられ、その筐体窪み部に両面テープで固定する構成や、マグネットで取り付ける構成などであってもよい。
こうした構成によっても、本発明を同様に実現することができ、同様の効果を得ることができる。
【００４１】
また、キーボード２３に対するケーブルの引き出し方向は、図６、図８に示すように、キーの配列面に対する手前側の側面の側に引き出され、パームレストカバー２２により被装されうる方向であれば任意の方向であってよい。例えばキーの配列方向に対して少し底面側の斜め下方にキーボード用ケーブル２６などの各種ケーブルが引き出された構成であっても、本発明を同様に実現することができ、同様の効果を得ることができる。
【符号の説明】
【００４２】
１００    ノート型コンピュータ（電子機器）
１０    上側筐体
１１    表示部
２０    下側筐体
２１    トップカバー
２２    パームレストカバー（外装部材）
２３    キーボード
２４    電源スイッチ
２５、２７    サブ基板用ケーブル
２６    キーボード用ケーブル
２５ａ、２６ａ、２７ａ    ケーブル側コネクタ
３０    ヒンジ部
３１    バッテリ
３２    マウスボタン
３３    トラックパッド
４０    マザーボード（制御手段）
４１、４２、４３    ボード側コネクタ
５１、５２、５３    サブ基板
５４    カードスロット
５５、５６    コネクタ
６０    ＨＤＤ収容部
６１    ＨＤＤ用ケーブル
６１ａ    ケーブル側コネクタ
６２    ガイド部材
６３    ＨＤＤ（記憶手段）
６３ａ    ＨＤＤ側コネクタ
７１    ネジ穴
【図１】
2014085972.tif 000003
【図２】
2014085972.tif 000004
【図３】
2014085972.tif 000005
【図４】
2014085972.tif 000006
【図５】
2014085972.tif 000007
【図６】
2014085972.tif 000008
【図７】
2014085972.tif 000009
【図８】
2014085972.tif 000010
【図９】
2014085972.tif 000011